(57)【要約】【課題】  ユーザーによる操作に関係なく、携帯情報装置に処理を実行させること。【解決手段】  ＭＦＰは、携帯情報装置と第１の距離の範囲で通信可能な第１装置側通信部と、携帯情報装置の装置識別情報を受信する識別情報取得部６３と、を備え、登録装置として機能する場合は、受け付けられた操作に従って、処理を特定する処理特定部７１と、装置識別情報と、特定された処理を携帯情報装置に実行させるコマンドとを含む制御情報を生成する制御情報生成部５９と、制御情報をサーバーに送信する制御情報送信部６７と、を備え、制御装置として機能する場合は、装置識別情報が取得されることに応じて、取得された装置識別情報を含む制御情報をサーバーから取得する制御情報取得部６１と、制御情報に含まれるコマンドを携帯情報装置に送信するコマンド送信部５７と、を備える。【選択図】        図７
2019033523.tif 000002
【特許請求の範囲】
【請求項１】
ネットワークに接続された複数の画像処理装置と、前記複数の画像処理装置のいずれかと近距離無線通信可能な携帯情報装置とを含む装置制御システムであって、
前記複数の画像処理装置各々は、前記携帯情報装置が第１の距離の範囲内に存在する場合に当該携帯情報装置と通信可能な装置側通信手段と、
前記装置側通信手段が前記携帯情報装置と通信可能な状態になることに応じて、前記携帯情報装置を識別するための装置識別情報を、前記装置側通信手段を介して受信する識別情報取得手段と、
ユーザーの操作を受け付ける操作受付手段と、を備えており、
前記複数の画像処理装置のうち登録装置は、
前記装置側通信手段が前記携帯情報装置と通信可能となった後に前記操作受付手段により受け付けられた操作に従って、前記携帯情報装置に実行させる処理を特定する処理特定手段と、
前記識別情報取得手段により取得された装置識別情報と前記特定された処理を前記携帯情報装置に実行させるコマンドとを含む制御情報を生成する制御情報生成手段と、を備え、
前記複数の画像処理装置のうち制御装置は、
前記識別情報取得手段により装置識別情報が取得されることに応じて、前記登録装置によって生成された制御情報であって前記識別情報取得手段により取得された装置識別情報と同じ装置識別情報を含む制御情報を取得する制御情報取得手段と、
前記制御情報取得手段によって前記制御情報が取得される場合、前記取得された制御情報に含まれるコマンドを、前記携帯情報装置に前記装置側通信手段を介して送信するコマンド送信手段を含み、
前記携帯情報装置は、前記複数の画像処理装置のうち前記第１の距離の範囲内に存在する画像処理装置と通信する携帯側通信手段と、
前記携帯側通信手段が前記複数の画像処理装置のいずれかと通信可能な状態になることに応じて、前記複数の画像処理装置のうち前記携帯側通信手段が通信可能な画像処理装置に、前記携帯情報装置を識別するための装置識別情報を、前記携帯側通信手段を介して送信する識別情報送信手段と、
前記装置識別情報の送信に応じて、前記携帯側通信手段が前記画像処理装置からコマンドを受信する場合、前記受信されたコマンドを実行するコマンド実行手段と、を備えた、装置制御システム。
【請求項２】
前記登録装置は、前記装置側通信手段が前記携帯情報装置と通信可能となった後に前記操作受付手段により受け付けられた操作に従って、認証情報を受け付ける認証情報受付手段を、さらに備え、
前記制御情報生成手段は、前記受け付けられた認証情報をさらに含む制御情報を生成し、
前記コマンド送信手段は、前記取得された制御情報に含まれる認証情報を、さらに前記携帯情報装置に送信し、
前記コマンド実行手段は、前記携帯側通信手段が前記画像処理装置から認証情報とコマンドとを受信する場合、前記受信された認証情報が前記携帯情報装置に予め登録された認証情報と一致することを条件に、前記受信されたコマンドを実行する、請求項１に記載の装置制御システム。
【請求項３】
前記処理特定手段は、前記携帯情報装置に実行させる処理として予め登録された複数の処理のうちから１以上を選択する選択手段と、
前記選択された１以上の処理を実行するための設定値を受け付ける設定値受付手段と、を含み、
前記コマンドは、前記複数の処理のいずれかを識別するための処理識別情報と、前記処理識別情報で特定される処理に対する設定値と、を含む、請求項１または２に記載の装置制御システム。
【請求項４】
前記携帯情報装置に実行させる処理として予め登録された複数の処理は、前記携帯情報装置に記憶されたデータのうちから前記設定値により特定される条件を満たすデータを抽出する検索処理を含む、請求項３に記載の装置制御システム。
【請求項５】
前記携帯情報装置に実行させる処理として予め登録された複数の処理は、データを前記設定値により特定される送信先に送信する送信処理を含む、請求項３または４に記載の装置制御システム。
【請求項６】
前記処理特定手段は、前記携帯情報装置に実行させる処理として予め登録された複数の処理のうちから１以上を選択する選択手段を含み、
前記携帯情報装置に実行させる処理として予め登録された複数の処理は、ユーザーによる操作の受付を禁止する状態に設定するロック設定処理を含む、請求項１または２に記載の装置制御システム。
【請求項７】
前記ネットワークに接続されたサーバーをさらに備え、
前記サーバーは、前記登録装置が備える前記制御情報生成手段により生成された制御情報を収集する制御情報収集手段を、備え、
前記制御装置が備える前記制御情報取得手段は、前記サーバーによって収集された制御情報のうちから前記識別情報取得手段により取得された装置識別情報と同じ装置識別情報を含む制御情報を前記サーバーから取得する、請求項１〜６のいずれかに記載の装置制御システム。
【請求項８】
携帯情報装置およびサーバーと通信可能な画像処理装置であって、
前記携帯情報装置が第１の距離の範囲内に存在する場合に当該携帯情報装置と通信可能な装置側通信手段と、
前記装置側通信手段が前記携帯情報装置と通信可能な状態になることに応じて、前記携帯情報装置を識別するための装置識別情報を、前記装置側通信手段を介して受信する識別情報取得手段と、
ユーザーの操作を受け付ける操作受付手段と、を備えており、
登録装置として機能する場合は、
前記装置側通信手段が前記携帯情報装置と通信可能となった後に前記操作受付手段により受け付けられた操作に従って、前記携帯情報装置に実行させる処理を特定する処理特定手段と、
前記識別情報取得手段により取得された装置識別情報と前記特定された処理を前記携帯情報装置に実行させるコマンドとを含む制御情報を生成する制御情報生成手段と、
前記生成された制御情報を前記サーバーに送信する制御情報送信手段と、を備え、
制御装置として機能する場合は、
前記識別情報取得手段により装置識別情報が取得されることに応じて、前記サーバーに記憶された制御情報であって、前記識別情報取得手段により取得された装置識別情報と同じ装置識別情報を含む制御情報を前記サーバーから取得する制御情報取得手段と、
前記取得された制御情報に含まれるコマンドを前記携帯情報装置に実行させるために、前記取得された制御情報に含まれるコマンドを、前記携帯情報装置に前記装置側通信手段を介して送信するコマンド送信手段と、を備えた画像処理装置。
【請求項９】
携帯情報装置およびサーバーと通信可能な画像処理装置で実行される装置制御方法であって、
前記画像処理装置は、前記携帯情報装置が第１の距離の範囲内に存在する場合に当該携帯情報装置と通信可能な装置側通信手段と、
ユーザーの操作を受け付ける操作受付手段と、を備えており、
前記装置側通信手段が前記携帯情報装置と通信可能な状態になることに応じて、前記携帯情報装置を識別するための装置識別情報を、前記装置側通信手段を介して受信する識別情報取得ステップを前記画像処理装置に実行させ、
前記画像処理装置が登録装置として機能する場合に、前記装置側通信手段が前記携帯情報装置と通信可能となった後に前記操作受付手段により受け付けられた操作に従って、前記携帯情報装置に実行させる処理を特定する処理特定ステップと、
前記識別情報取得ステップにおいて取得された装置識別情報と前記特定された処理を前記携帯情報装置に実行させるコマンドとを含む制御情報を生成する制御情報生成ステップと、
前記生成された制御情報を前記サーバーに送信する制御情報送信ステップと、を前記画像処理装置に実行させ、
前記画像処理装置が制御装置として機能する場合に、前記識別情報取得ステップにおいて装置識別情報が取得されることに応じて、前記サーバーに記憶された制御情報であって、前記識別情報取得ステップにおいて取得された装置識別情報と同じ装置識別情報を含む制御情報を前記サーバーから取得する制御情報取得ステップと、
前記取得された制御情報に含まれるコマンドを前記携帯情報装置に実行させるために、前記取得された制御情報に含まれるコマンドを、前記携帯情報装置に前記装置側通信手段を介して送信するコマンド送信ステップと、を前記画像処理装置に実行させる装置制御方法。
【請求項１０】
携帯情報装置およびサーバーと通信可能な画像処理装置を制御するコンピューターで実行される装置制御プログラムであって、
前記画像処理装置は、前記携帯情報装置が第１の距離の範囲内に存在する場合に当該携帯情報装置と通信可能な装置側通信手段と、
ユーザーの操作を受け付ける操作受付手段と、を備えており、
前記装置側通信手段が前記携帯情報装置と通信可能な状態になることに応じて、前記携帯情報装置を識別するための装置識別情報を、前記装置側通信手段を介して受信する識別情報取得ステップを、前記コンピューターに実行させ、
前記画像処理装置が登録装置として機能する場合に、前記装置側通信手段が前記携帯情報装置と通信可能となった後に前記操作受付手段により受け付けられた操作に従って、前記携帯情報装置に実行させる処理を特定する処理特定ステップと、
前記識別情報取得ステップにおいて取得された装置識別情報と前記特定された処理を前記携帯情報装置に実行させるコマンドとを含む制御情報を生成する制御情報生成ステップと、
前記生成された制御情報を前記サーバーに送信する制御情報送信ステップと、を前記コンピューターに実行させ、
前記画像処理装置が制御装置として機能する場合に、前記識別情報取得ステップにおいて装置識別情報が取得されることに応じて、前記サーバーに記憶された制御情報であって、前記識別情報取得ステップにおいて取得された装置識別情報と同じ装置識別情報を含む制御情報を前記サーバーから取得する制御情報取得ステップと、
前記取得された制御情報に含まれるコマンドを前記携帯情報装置に実行させるために、前記取得された制御情報に含まれるコマンドを、前記携帯情報装置に前記装置側通信手段を介して送信するコマンド送信ステップと、を前記コンピューターに実行させる装置制御プログラム。
【発明の詳細な説明】
【技術分野】
【０００１】
この発明は、装置制御システム、画像処理装置、装置制御方法および装置制御プログラムに関し、特に、携帯情報装置と通信可能な画像処理装置を含む装置装御システム、その画像処理装置、その画像処理装置で実行される装置制御方法および装置制御プログラムに関する。
【背景技術】
【０００２】
近年、スマートフォンで代表される携帯情報装置は、ＮＦＣ（近距離無線通信）方式で通信する機能を備えており、ＮＦＣ対応の装置にスマートフォンを近づけることによって、その装置に種々の処理を実行させる技術が知られている。
【０００３】
一方、携帯情報装置を外部から制御する技術がある。例えば、特開２００６−２７９５７２号公報（特許文献１）には、携帯通信端末と、前記携帯通信端末の識別情報を記憶する非接触ＩＣタグカードと、前記非接触ＩＣタグカードから前記識別情報を読み出す非接触ＩＣタグカードリーダと、ネットワークに接続された情報処理端末と、前記携帯通信端末のセキュリティ管理を行う管理サーバと、前記携帯通信端末の接続を制御する基地局とを有する携帯電話端末システムにおいて、前記管理サーバは、前記携帯通信端末の管理情報を記憶する記憶手段を有し、前記非接触ＩＣカードリーダによって読み出された前記識別情報を前記情報処理端末から受信したとき、前記管理サーバは、前記記憶手段によって記憶された前記識別情報ごとの前記管理情報に基づいて前記基地局における前記携帯通信端末への接続、及び前記携帯通信端末の操作のロック／ロック解除を制御することを特徴とする携帯電話端末システムが記載されている。
【０００４】
しかしながら、従来の携帯電話端末システムにおいては、携帯通信端末とは別の非接触ＩＣタグカードに携帯通信端末の識別情報を記憶させなければならず、非接触ＩＣタグカードを携帯情報装置とは別に管理しなければならないといった問題がある。
【特許文献１】特開２００６−２７９５７２号公報
【発明の概要】
【発明が解決しようとする課題】
【０００５】
この発明は上述した問題点を解決するためになされたもので、この発明の目的の一つは、ユーザーによる操作に関係なく、携帯情報装置に処理を実行させることが可能な装置制御システムを提供することである。
【０００６】
この発明の他の目的は、ユーザーによる操作に関係なく、携帯情報装置に処理を実行させることが可能な画像処理装置を提供することができる。
【０００７】
この発明のさらに他の目的は、ユーザーによる操作に関係なく、携帯情報装置に処理を実行させることが可能な装置制御方法を提供することができる。
【０００８】
この発明のさらに他の目的は、ユーザーによる操作に関係なく、携帯情報装置に処理を実行させることが可能な装置制御プログラムを提供することができる。
【課題を解決するための手段】
【０００９】
上述した目的を達成するためにこの発明のある局面によれば、装置制御システムは、ネットワークに接続された複数の画像処理装置と、複数の画像処理装置のいずれかと近距離無線通信可能な携帯情報装置とを含む装置制御システムであって、複数の画像処理装置各々は、携帯情報装置が第１の距離の範囲内に存在する場合に当該携帯情報装置と通信可能な装置側通信手段と、装置側通信手段が携帯情報装置と通信可能な状態になることに応じて、携帯情報装置を識別するための装置識別情報を、装置側通信手段を介して受信する識別情報取得手段と、ユーザーの操作を受け付ける操作受付手段と、を備えており、複数の画像処理装置のうち登録装置は、装置側通信手段が携帯情報装置と通信可能となった後に操作受付手段により受け付けられた操作に従って、携帯情報装置に実行させる処理を特定する処理特定手段と、識別情報取得手段により取得された装置識別情報と特定された処理を携帯情報装置に実行させるコマンドとを含む制御情報を生成する制御情報生成手段と、を備え、複数の画像処理装置のうち制御装置は、識別情報取得手段により装置識別情報が取得されることに応じて、登録装置によって生成された制御情報であって識別情報取得手段により取得された装置識別情報と同じ装置識別情報を含む制御情報を取得する制御情報取得手段と、制御情報取得手段によって制御情報が取得される場合、取得された制御情報に含まれるコマンドを、携帯情報装置に装置側通信手段を介して送信するコマンド送信手段を含み、携帯情報装置は、複数の画像処理装置のうち第１の距離の範囲内に存在する画像処理装置と通信する携帯側通信手段と、携帯側通信手段が複数の画像処理装置のいずれかと通信可能な状態になることに応じて、複数の画像処理装置のうち携帯側通信手段が通信可能な画像処理装置に、携帯情報装置を識別するための装置識別情報を、携帯側通信手段を介して送信する識別情報送信手段と、装置識別情報の送信に応じて、携帯側通信手段が画像処理装置からコマンドを受信する場合、受信されたコマンドを実行するコマンド実行手段と、を備える。
【００１０】
この局面に従えば、制御装置は、携帯情報装置と通信可能となった後に受け付けられた操作に従って、携帯情報装置に実行させる処理を特定し、装置識別情報と、特定された処理を携帯情報装置に実行させるコマンドとを含む制御情報を生成し、制御装置は、登録装置によって生成された制御情報であって通信可能となった携帯情報装置の装置識別情報と同じ装置識別情報を含む制御情報を取得し、制御情報に含まれるコマンドを携帯情報装置に送信する。このため、携帯情報装置は、複数の画像処理装置のいずれかと通信可能な状態になることに応じて、通信可能な画像処理装置に装置識別情報を送信し、装置識別情報の送信に応じて、コマンドを受信する場合、受信されたコマンドを実行する。このため、携帯情報装置に実行させる処理を定めるコマンドを含む制御情報を画像処理装置に登録すれば、次に、携帯情報装置を画像処理装置と第１の距離の範囲内に近づけると、登録された制御情報に含まれるコマンドが携帯情報装置で実行される。その結果、ユーザーによる操作に関係なく、携帯情報装置に処理を実行させることが可能な装置制御システムを提供することができる。
【００１１】
好ましくは、登録装置は、装置側通信手段が携帯情報装置と通信可能となった後に操作受付手段により受け付けられた操作に従って、認証情報を受け付ける認証情報受付手段を、さらに備え、制御情報生成手段は、受け付けられた認証情報をさらに含む制御情報を生成し、コマンド送信手段は、取得された制御情報に含まれる認証情報を、さらに携帯情報装置に送信し、コマンド実行手段は、携帯側通信手段が画像処理装置から認証情報とコマンドとを受信する場合、受信された認証情報が携帯情報装置に予め登録された認証情報と一致することを条件に、受信されたコマンドを実行する。
【００１２】
この局面に従えば、制御情報の登録時に認証情報を受け付け、携帯情報装置では、コマンドとともに制御装置から受信する認証情報が予め登録された認証情報と一致することを条件に、コマンドを実行する。このため、携帯情報装置に登録された認証情報を知るユーザーのみが、制御情報を登録することができる。このため、携帯情報装置にコマンドを実行させることのできるユーザーを制限することができる。
【００１３】
好ましくは、処理特定手段は、携帯情報装置に実行させる処理として予め登録された複数の処理のうちから１以上を選択する選択手段と、選択された１以上の処理を実行するための設定値を受け付ける設定値受付手段と、を含み、コマンドは、複数の処理のいずれかを識別するための処理識別情報と、処理識別情報で特定される処理に対する設定値と、を含む。
【００１４】
この局面に従えば、携帯情報装置に種々の処理を実行させることができる。
【００１５】
好ましくは、携帯情報装置に実行させる処理として予め登録された複数の処理は、携帯情報装置に記憶されたデータのうちから設定値により特定される条件を満たすデータを抽出する検索処理を含む。
【００１６】
この局面に従えば、携帯情報装置に記憶されたデータのうちから設定値により特定される条件を満たすデータを抽出する検索処理を、携帯情報装置に実行させることができる。このため、携帯情報装置に記憶されたデータのうちから処理の対象とするデータを抽出させることができる。
【００１７】
好ましくは、携帯情報装置に実行させる処理として予め登録された複数の処理は、データを設定値により特定される送信先に送信する送信処理を含む。
【００１８】
この局面に従えば、データを任意の送信先に記憶させることができる。
【００１９】
好ましくは、処理特定手段は、携帯情報装置に実行させる処理として予め登録された複数の処理のうちから１以上を選択する選択手段を含み、携帯情報装置に実行させる処理として予め登録された複数の処理は、ユーザーによる操作の受付を禁止する状態に設定するロック設定処理を含む。
【００２０】
この局面に従えば、携帯情報装置を操作できない状態にすることができる。
【００２１】
好ましくは、ネットワークに接続されたサーバーをさらに備え、サーバーは、登録装置が備える制御情報生成手段により生成された制御情報を収集する制御情報収集手段を、備え、制御装置が備える制御情報取得手段は、サーバーによって収集された制御情報のうちから識別情報取得手段により取得された装置識別情報と同じ装置識別情報を含む制御情報をサーバーから取得する。
【００２２】
この局面に従えば、複数の画像処理装置のいずれかで制御情報を登録すれば、携帯情報装置が複数の画像処理装置のいずれかと第１の距離の範囲まで近づけば、登録された制御情報に含まれるコマンドが携帯情報装置で実行される。このため、携帯情報装置にコマンドを実行させる頻度を高めることができる。
【００２３】
この発明の他の局面によれば、画像処理装置は、携帯情報装置およびサーバーと通信可能な画像処理装置であって、携帯情報装置が第１の距離の範囲内に存在する場合に当該携帯情報装置と通信可能な装置側通信手段と、装置側通信手段が携帯情報装置と通信可能な状態になることに応じて、携帯情報装置を識別するための装置識別情報を、装置側通信手段を介して受信する識別情報取得手段と、ユーザーの操作を受け付ける操作受付手段と、を備えており、登録装置として機能する場合は、装置側通信手段が携帯情報装置と通信可能となった後に操作受付手段により受け付けられた操作に従って、携帯情報装置に実行させる処理を特定する処理特定手段と、識別情報取得手段により取得された装置識別情報と特定された処理を携帯情報装置に実行させるコマンドとを含む制御情報を生成する制御情報生成手段と、生成された制御情報をサーバーに送信する制御情報送信手段と、を備え、制御装置として機能する場合は、識別情報取得手段により装置識別情報が取得されることに応じて、サーバーに記憶された制御情報であって、識別情報取得手段により取得された装置識別情報と同じ装置識別情報を含む制御情報をサーバーから取得する制御情報取得手段と、取得された制御情報に含まれるコマンドを携帯情報装置に実行させるために、取得された制御情報に含まれるコマンドを、携帯情報装置に装置側通信手段を介して送信するコマンド送信手段と、を備える。
【００２４】
この局面に従えば、制御装置として機能する場合は、携帯情報装置と通信可能となった後に受け付けられた操作に従って、携帯情報装置に実行させる処理を特定し、装置識別情報と、特定された処理を携帯情報装置に実行させるコマンドとを含む制御情報を生成し、制御装置として機能する場合は、登録装置によって生成された制御情報であって通信可能となった携帯情報装置の装置識別情報と同じ装置識別情報を含む制御情報を取得し、制御情報に含まれるコマンドを携帯情報装置に送信する。このため、携帯情報装置は、制御装置として機能する画像処理装置と通信可能な状態になることに応じて、装置識別情報を送信し、コマンドを受信する場合、受信されたコマンドを実行する。携帯情報装置に実行させる処理を定めるコマンドを含む制御情報を登録装置として機能する画像処理装置に登録すれば、次に、携帯情報装置を画像処理装置と第１の距離の範囲内に近づけると、その画像処理装置が制御装置として機能し、登録された制御情報に含まれるコマンドが携帯情報装置で実行される。その結果、ユーザーによる操作に関係なく、携帯情報装置に処理を実行させることが可能な画像処理装置を提供することができる。
【００２５】
この発明の他の局面によれば、装置制御方法は、携帯情報装置およびサーバーと通信可能な画像処理装置で実行される装置制御方法であって、画像処理装置は、携帯情報装置が第１の距離の範囲内に存在する場合に当該携帯情報装置と通信可能な装置側通信手段と、ユーザーの操作を受け付ける操作受付手段と、を備えており、装置側通信手段が携帯情報装置と通信可能な状態になることに応じて、携帯情報装置を識別するための装置識別情報を、装置側通信手段を介して受信する識別情報取得ステップを画像処理装置に実行させ、画像処理装置が登録装置として機能する場合に、装置側通信手段が携帯情報装置と通信可能となった後に操作受付手段により受け付けられた操作に従って、携帯情報装置に実行させる処理を特定する処理特定ステップと、識別情報取得ステップにおいて取得された装置識別情報と特定された処理を携帯情報装置に実行させるコマンドとを含む制御情報を生成する制御情報生成ステップと、生成された制御情報をサーバーに送信する制御情報送信ステップと、を画像処理装置に実行させ、画像処理装置が制御装置として機能する場合に、識別情報取得ステップにおいて装置識別情報が取得されることに応じて、サーバーに記憶された制御情報であって、識別情報取得ステップにおいて取得された装置識別情報と同じ装置識別情報を含む制御情報をサーバーから取得する制御情報取得ステップと、取得された制御情報に含まれるコマンドを携帯情報装置に実行させるために、取得された制御情報に含まれるコマンドを、携帯情報装置に装置側通信手段を介して送信するコマンド送信ステップと、を画像処理装置に実行させる。
【００２６】
この局面に従えば、ユーザーによる操作に関係なく、携帯情報装置に処理を実行させることが可能な装置制御方法を提供することができる。
【００２７】
この発明の他の局面によれば、装置制御プログラムは、携帯情報装置およびサーバーと通信可能な画像処理装置を制御するコンピューターで実行される装置制御プログラムであって、画像処理装置は、携帯情報装置が第１の距離の範囲内に存在する場合に当該携帯情報装置と通信可能な装置側通信手段と、ユーザーの操作を受け付ける操作受付手段と、を備えており、装置側通信手段が携帯情報装置と通信可能な状態になることに応じて、携帯情報装置を識別するための装置識別情報を、装置側通信手段を介して受信する識別情報取得ステップを、コンピューターに実行させ、画像処理装置が登録装置として機能する場合に、装置側通信手段が携帯情報装置と通信可能となった後に操作受付手段により受け付けられた操作に従って、携帯情報装置に実行させる処理を特定する処理特定ステップと、識別情報取得ステップにおいて取得された装置識別情報と特定された処理を携帯情報装置に実行させるコマンドとを含む制御情報を生成する制御情報生成ステップと、生成された制御情報をサーバーに送信する制御情報送信ステップと、をコンピューターに実行させ、画像処理装置が制御装置として機能する場合に、識別情報取得ステップにおいて装置識別情報が取得されることに応じて、サーバーに記憶された制御情報であって、識別情報取得ステップにおいて取得された装置識別情報と同じ装置識別情報を含む制御情報をサーバーから取得する制御情報取得ステップと、取得された制御情報に含まれるコマンドを携帯情報装置に実行させるために、取得された制御情報に含まれるコマンドを、携帯情報装置に装置側通信手段を介して送信するコマンド送信ステップと、をコンピューターに実行させる。
【００２８】
この局面に従えば、ユーザーによる操作に関係なく、携帯情報装置に処理を実行させることが可能な装置制御プログラムを提供することができる。
【図面の簡単な説明】
【００２９】
【図１】本発明の実施の形態の１つにおける装置制御システムの全体概要を示す図である。
【図２】ＭＦＰの外観を示す斜視図である。
【図３】ＭＦＰのハードウェア構成の概要を示すブロック図である。
【図４】操作パネルの一例を示す平面図である。
【図５】携帯情報装置のハードウェア構成の概要を示すブロック図である。
【図６】管理サーバーのハードウェア構成の一例を示すブロック図である。
【図７】ＭＦＰが備えるＣＰＵの機能の一例を示す機能ブロック図である。
【図８】処理選択画面の一例を示す図である。
【図９】設定値設定画面の一例を示す第１の図である。
【図１０】設定値設定画面の一例を示す第２の図である。
【図１１】携帯情報装置が備えるＣＰＵの機能の一例を示す機能ブロック図である。
【図１２】装置制御処理の流れの一例を示すフローチャートである。
【図１３】被制御処理の流れの一例を示すフローチャートである。
【発明を実施するための形態】
【００３０】
以下、本発明の実施の形態について図面を参照して説明する。以下の説明では同一の部品には同一の符号を付してある。それらの名称および機能も同じである。したがってそれらについての詳細な説明は繰返さない。
【００３１】
図１は、本発明の実施の形態の１つにおける装置制御システムの全体概要を示す図である。図１を参照して、装置制御システム１は、画像処理装置として機能する複合機（以下、「ＭＦＰ」という）１００Ａ，１００Ｂと、管理サーバー３００と、携帯情報装置２００と、を含む。ＭＦＰ（Ｍｕｌｔｉ  Ｆｕｎｃｔｉｏｎ  Ｐｅｒｉｐｈｅｒａｌ）１００Ａ，１００Ｂ、管理サーバー３００とは、インターネット５に接続される。携帯情報装置２００は、近距離無線方式による無線通信によって、ＭＦＰ１００Ａ，１００Ｂのいずれかと通信可能である。
【００３２】
管理サーバー３００は、一般的なコンピューターである。携帯情報装置２００は、スマートフォン、ＰＤＡ（Ｐｅｒｓｏｎａｌ  Ｄｉｇｉｔａｌ  Ａｓｓｉｓｔａｎｔｓ）など、ユーザーに携帯して使用されるコンピューターである。ここでは、携帯情報装置２００を、スマートフォンとしており、通話機能とを備えている。このため、携帯情報装置２００は、携帯電話用基地局と無線で通信することにより携帯電話網に接続し、通話が可能である。
【００３３】
なお、ＭＦＰ１００Ａ，１００Ｂおよび管理サーバー３００は、インターネット５に接続される場合を例に説明するが、ローカルエリアネットワーク（ＬＡＮ）であってもよい。また、接続形態は有線または無線を問わない。また、図１では、装置制御システム１は、２台のＭＦＰ１００Ａ，１００Ｂを含む場合を示しているが、台数を限定するものではなく、１台以上あればよい。ＭＦＰ１００Ａ，１００Ｂは、それぞれが備える機能は同じである。ここでは、特に言及しない限り、ＭＦＰ１００Ａを例に説明する。
【００３４】
図２は、ＭＦＰの外観を示す斜視図である。図３は、ＭＦＰのハードウェア構成の概要を示すブロック図である。図２および図３を参照して、ＭＦＰ１００Ａは、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００３５】
後処理部１５５は、画像形成部１４０により画像が形成された１以上の用紙を並び替えて排紙するソート処理、パンチ穴加工するパンチ処理、ステープル針を打ち込むステープル処理を実行する。
【００３６】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、第１装置側通信部１１７と、第２装置側通信部１１８と、ＣＤ−ＲＯＭ１１９Ａが装着される外部記憶装置１１９と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００Ａの全体を制御する。
【００３７】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。さらに、ＲＡＭ１１４は，設定値記憶領域と設定画面記憶領域とを含む。設定値記憶領域は、処理を実行するための設定値を記憶する領域である。設定値記憶領域は、表示部１６１に表示する設定画面の記憶する領域である。また、ＲＡＭ１１４は、原稿読取部１３０から連続的に送られてくる読取データ（画像データ）を一時的に記憶する。
【００３８】
通信Ｉ／Ｆ部１１２は、ＭＦＰ１００Ａをインターネット５に接続するためのインターフェースである。ＣＰＵ１１１は、通信Ｉ／Ｆ部１１２を介して、管理サーバー３００との間で通信し、データを送受信する。
【００３９】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００４０】
第１装置側通信部１１７は、ＮＦＣ（Ｎｅａｒ  Ｆｉｅｌｄ  Ｃｏｍｍｕｎｉｃａｔｉｏｎ）規格に基づき、携帯情報装置２００と無線により通信する。第１装置側通信制御部１１７は、携帯情報装置２００との間の距離が、第１の距離以下となると携帯情報装置２００と通信する。第１の距離は、例えば、１０数ｃｍである。
【００４１】
第２装置側通信部１１８は、Ｂｌｕｅｔｏｏｔｈ（登録商標）規格に基づき、携帯情報装置２００とペアリングすることによってＰｔｏＰ（ｐｅｅｒ  ｔｏ  ｐｅｅｒ）で無線により通信する。第１装置側通信制御部１１７は、携帯情報装置２００との間の距離が、第１の距離より長い第２の距離以下で携帯情報装置２００と通信が可能である。第２の距離は、例えば、１０ｍ以上である。なお、第２装置側通信部１１８は、Ｗｉ−Ｆｉ（Ｗｉｒｅｌｅｓｓ  Ｆｉｄｅｌｉｔｙ）規格、または、ＩｒＤＡ（Ｉｎｆｒａｒｅｄ  Ｄａｔａ  Ａｓｓｏｃｉａｔｉｏｎ）規格等に基づき無線通信するＬＡＮインターフェースであってもよい。
【００４２】
第１装置側通信制御部１１７は、第２装置側通信部１１８が携帯情報装置２００と通信可能となるように、第２装置側通信部１１８が携帯情報装置２００とペアリングするようにしてもよい。これにより、ユーザーは、携帯情報装置２００を、第１装置側通信制御部１１７から第１の距離の範囲内に近づければ、第２装置側通信部１１８が携帯情報装置２００と通信可能となる。
【００４３】
外部記憶装置１１９は、ＣＤ−ＲＯＭ（Ｃｏｍｐａｃｔ  Ｄｉｓｃ  ＲＯＭ）１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行する。なお、ＣＰＵ１１１が実行するプログラムを記憶する媒体としては、ＣＤ−ＲＯＭ１１９Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００４４】
また、ＣＰＵ１１１が実行するプログラムは、ＣＤ−ＲＯＭ１１９Ａに記録されたプログラムに限られず、ＨＤＤ１１５に記憶されたプログラムをＲＡＭ１１４にロードして実行するようにしてもよい。この場合、インターネット５に接続された他のコンピューターが、ＭＦＰ１００ＡのＨＤＤ１１５に記憶されたプログラムを書換える、または、新たなプログラムを追加して書き込むようにしてもよい。さらに、ＭＦＰ１００Ａが、インターネット５に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４５】
操作パネル１６０は、ＭＦＰ１００Ａの上面に設けられ、表示部１６１と操作部１６３とを含む。
【００４６】
図４は、操作パネルの一例を示す平面図である。なお、図中の点線は、後述するハードキー部１６７を示すために付したもので、実際には存在しない。図４を参照して、操作パネル１６０は、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。
【００４７】
操作部１６３は、タッチパネル１６５と、ハードキー部１６７と、接触位置通知領域１１７Ａと、を含む。タッチパネル１６５は、表示部１６１の上面または下面に表示部１６１に重畳して設けられる。ハードキー部１６７は、複数のハードキーを含む。ハードキーは、例えば接点スイッチである。タッチパネル１６５は、表示部１６１の表示面中でユーザーにより指示された位置を検出する。接触位置通知領域１１７Ａは、第１装置側通信部１１７が配置されている位置を示す領域である。接触位置通知領域１１７Ａは、例えば、第１装置側通信部１１７のアンテナが配置される。接触位置通知領域１１７Ａは、ユーザーに、携帯情報装置２００を近づける位置を通知するための表示である。
【００４８】
ユーザーがＭＦＰ１００を操作する場合は直立した姿勢となる場合が多いので、表示部１６１の表示面、タッチパネル１６５の操作面、接触位置通知領域１１７Ａおよびハードキー部１６７は、上方を向いて配置される。ユーザーが表示部１６１の表示面を容易に視認することができ、ユーザーが指で操作部１６３を容易に指示することができるようにするためである。
【００４９】
図５は、携帯情報装置のハードウェア構成の概要を示すブロック図である。図５を参照して、本実施の形態における携帯情報装置２００は、携帯情報装置２００の全体を制御するためのＣＰＵ２０１と、カメラ２０２と、データを不揮発的に記憶するフラッシュメモリ２０３と、通話部２０５と接続された無線通信部２０４と、情報を表示する表示部２０６と、ユーザーの操作を受け付ける操作部２０７と、無線ＬＡＮＩ／Ｆ２０８と、第１携帯側通信部２０９と、第２携帯側通信部２１０と、外部記憶装置２１１と、を含む。
【００５０】
表示部２０６は、液晶表示装置（ＬＣＤ）、有機ＥＬＤ等の表示装置であり、ユーザーに対する指示メニューや取得した画像データに関する情報等を表示する。操作部２０７は、メインキー２０７Ａと、タッチパネル２０７Ｂとを備える。また、ユーザーが、表示部２０６の表示面を指示する場合、操作部２０７は、タッチパネル２０７Ｂにより検出される表示面の位置をＣＰＵ２０１に出力する。ＣＰＵ２０１は、タッチパネル２０７Ｂによる検出された位置に基づいて、表示部２０６に表示されている画面中でユーザーにより指示された位置を検出する。ＣＰＵ２０１は、表示部２０６に表示されている画面と、タッチパネル２０７Ｂによる検出された位置とに基づいて、ユーザーの操作による各種の指示、文字、数字などのデータの入力を受け付ける。例えば、表示部２０６にテンキーの画像を含む画面を表示する場合には、タッチパネル２０７Ｂによる検出された位置に表示されたキーに対応する数字を受け付ける。
【００５１】
カメラ２０２は、レンズおよび光電変換素子を備え、レンズで集光した光を光電変換素子に結像し、光電変換素子は受光した光を光電変換して画像データをＣＰＵ２０１に出力する。光電変換素子は、ＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサー、ＣＣＤ（Ｃｈａｒｇｅ  Ｃｏｕｐｌｅｄ  Ｄｅｖｉｃｅ）センサー等である。カメラ２０２は、その撮像範囲が、表示部２０６を見るユーザーを含む位置に配置される。具体的には、カメラ２０２は、その光軸が、表示部２０６の表示面の法線とほぼ平行であって、撮像方向が表示面の方向と同じになるように配置される。換言すれば、カメラ２０２は、ユーザーが表示部２０６を視認する場合には、そのユーザーの顔の部分を撮像範囲に含む。
【００５２】
無線通信部２０４は、電話通信網に接続された携帯電話用基地局と無線通信する。無線通信部２０４は、携帯情報装置２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカーを備え、無線通信部２０４から入力される音声をスピーカーから出力し、マイクから入力される音声を無線通信部２０４に出力する。さらに、無線通信部２０４は、ＣＰＵ２０１により制御され、携帯情報装置２００を電子メールサーバーに接続し、電子メールを送受信する。
【００５３】
無線ＬＡＮＩ／Ｆ２０８は、携帯情報装置２００をＷｉ−Ｆｉ規格に基づき無線通信するインターフェースである。携帯情報装置２００に、ＭＦＰ１００Ａ，１００ＢそれぞれのＩＰ（Ｉｎｔｅｒｎｅｔ  Ｐｒｏｔｏｃｏｌ）アドレスを登録しておくことにより、携帯情報装置２００は、ＭＦＰ１００Ａ，１００Ｂと通信することができ、データの送受信が可能となる。
【００５４】
フラッシュメモリ２０３は、ＣＰＵ２０１が実行するプログラム、またはそのプログラムを実行するために必要なデータを記憶する。ＣＰＵ２０１は、フラッシュメモリ２０３に記録されたプログラムを、ＣＰＵ２０１が備えるＲＡＭにロードして実行する。また、フラッシュメモリ２０３は、携帯情報装置２００を識別するための装置識別情報、および携帯情報装置２００を使用するユーザーとして割り当てられたユーザーを識別するためのユーザー識別情報を記憶する。
【００５５】
第１携帯側通信部２０９は、ＮＦＣ規格に基づき、ＭＦＰ１００Ａ、１００Ｂのうち携帯情報装置２００との間の距離が第１の距離以下となる装置と通信する。
【００５６】
第２携帯側通信部２１０は、Ｂｌｕｅｔｏｏｔｈ（登録商標）規格に基づき、携帯情報装置２００とペアリングすることによってＰｔｏＰで無線により通信する。第１携帯側通信部２１０は、ＭＦＰ１００ＡまたはＭＦＰ１００Ｂとの間の距離が、第２の距離以下で携帯情報装置２００と通信が可能である。第２の距離は、例えば、１０ｍ以上である。
【００５７】
第１携帯側通信部２０９は、第２携帯側通信部２１０がＭＦＰ１００ＡまたはＭＦＰ１００Ｂと通信可能となるように、ＭＦＰ１００ＡまたはＭＦＰ１００Ｂとペアリングするようにしてもよい。これにより、ユーザーは、携帯情報装置２００を、ＭＦＰ１００ＡまたはＭＦＰ１００Ｂから第１の距離の範囲内に近づければ、第２携帯側通信部２１０が、ＭＦＰ１００ＡまたはＭＦＰ１００Ｂのうち第１の距離の範囲内まで近づいた装置と通信可能となる。なお、第２携帯側通信部２１０は、Ｗｉ−Ｆｉ規格、または、ＩｒＤＡ格等に基づき無線通信するＬＡＮインターフェースであってもよい。
【００５８】
外部記憶装置２１１は、携帯情報装置２００に着脱自在であり、遠隔操作プログラムを記憶したＣＤ−ＲＯＭ２１０Ａが装着可能である。ＣＰＵ２０１は、外部記憶装置２１１を介してＣＤ−ＲＯＭ２１０Ａにアクセス可能である。ＣＰＵ２０１は、外部記憶装置２１１に装着されたＣＤ−ＲＯＭ２１０Ａに記録された遠隔操作プログラムを、ＣＰＵ２０１が備えるＲＡＭにロードして実行することが可能である。
【００５９】
なお、ＣＰＵ２０１が実行するプログラムとして、フラッシュメモリ２０３またはＣＤ−ＲＯＭ２１０Ａに記録されたプログラムについて説明したが、インターネット５に接続された他のコンピューターが、フラッシュメモリ２０３に記憶されたプログラムを書換えたプログラム、または、追加して書き込んだ新たなプログラムであってもよい。さらに、携帯情報装置２００が、インターネット５に接続された他のコンピューターからダウンロードしたプログラムでもよい。ここでいうプログラムは、ＣＰＵ２０１が直接実行可能なプログラムだけでなく、ソースプログラム、圧縮処理されたプログラム、暗号化されたプログラム等を含む。
【００６０】
なお、ＣＰＵ２０１が実行するプログラムを記憶する媒体としては、ＣＤ−ＲＯＭ２１１Ａに限られず、光ディスク（ＭＯ／ＭＤ／ＤＶＤ）、ＩＣカード、光カード、マスクＲＯＭ、ＥＰＲＯＭ、ＥＥＰＲＯＭなどの半導体メモリであってもよい。
【００６１】
図６は、管理サーバーのハードウェア構成の一例を示すブロック図である。図６を参照して、管理サーバー３００は、それぞれがバス３０８に接続され、管理サーバー３００の全体を制御するためのＣＰＵ３０１と、ＣＰＵ３０１が実行するプログラム等を記憶するためのＲＯＭ３０２と、ＣＰＵ３０１の作業領域として用いられるＲＡＭ３０３と、管理サーバー３００をネットワークに接続するためのネットワークＩ／Ｆ３０４と、大容量記憶装置としてのＨＤＤ３０５と、表示部３０６と、ユーザーの操作の入力を受け付ける操作部３０７と、外部記憶装置３０９と、を含む。
【００６２】
外部記憶装置３０９は、プログラムを記憶したＣＤ−ＲＯＭ３０９Ａが装着される。ＣＰＵ３０１は、外部記憶装置３０９を介してＣＤ−ＲＯＭ３０９Ａに記憶されたプログラムをＲＡＭ３０３にロードし、実行する。なお、プログラムを記憶する記録媒体としては、ＣＤ−ＲＯＭ３０９Ａに限られず、フレキシブルディスク、カセットテープ、光ディスク（ＭＯ／ＭＤ／ＤＶＤ）、ＩＣカード、光カード、マスクＲＯＭ、ＥＰＲＯＭ、ＥＥＰＲＯＭなどの半導体メモリ等でもよい。また、ＨＤＤ３０５に記憶されたプログラムをＲＡＭ３０３にロードして実行するようにしてもよい。この場合、管理サーバー３００が、インターネット５に接続された他のコンピューターからプリントジョブ管理プログラムをダウンロードして、そのプリントジョブ管理プログラムをＨＤＤ３０５に記憶するようにしてもよい。ここでいうプログラムは、ＣＰＵ３０１が直接実行可能なプログラムだけでなく、ソースプログラム、圧縮処理されたプログラム、暗号化されたプログラム等を含む。
【００６３】
ＭＦＰ１００Ａの機能と、ＭＦＰ１００Ｂの機能は同じである。しがって、以下の説明では特に言及しない限りＭＦＰ１００Ａの機能を例に説明する。ＭＦＰ１００Ａ、１００Ｂ各々は、登録装置としての機能と、制御装置としての機能と、を含む。登録装置と制御装置とで共通の機能についてＭＦＰ１００Ａの機能として説明し、登録装置としての機能をＭＦＰ１００Ａが登録装置として機能する場合を例に説明し、制御装置としての機能をＭＦＰ１００Ｂが制御装置として機能する場合を例に説明する。
【００６４】
図７は、ＭＦＰが備えるＣＰＵの機能の一例を示す機能ブロック図である。図７に示す機能は、ＭＦＰ１００Ａ、１００Ｂ各々が備えるＣＰＵ１１１が装置制御プログラムを実行することにより、ＣＰＵ１１１に形成される。図７を参照して、ＭＦＰ１００Ａが備えるＣＰＵ１１１は、装置側通信制御部５１と、ＭＦＰ１００Ａを操作するユーザーを特定する認証部５３と、操作パネル１６０を制御するパネル制御部５５と、コマンド生成部５７と、制御情報生成部５９と、制御情報取得部６１と、を含む。
【００６５】
＜共通の機能＞
装置側通信制御部５１は、通信Ｉ／Ｆ部１１２、第１装置側通信部１１７および第２装置側通信部１１８を制御する。装置側通信制御部５１は、識別情報取得部６３を含む。識別情報取得部６３は、第１装置側通信部１１７を制御し、第１装置側通信部１１７が携帯情報装置２００と通信可能になると、携帯情報装置２００から携帯情報装置２００を識別するための装置識別情報を取得する。装置識別情報は、携帯情報装置２００を識別可能な情報であればよく、限定するものではないが、例えば、ＩＰアドレス、ＭＡＣアドレス、ドメイン名等を用いることができる。識別情報取得部６３は、携帯情報装置２００から取得された装置識別情報を、認証部５３、制御情報生成部５９および制御情報取得部６１に出力する。
【００６６】
装置側通信制御部５１は、識別情報取得部６３によって携帯情報装置２００の装置識別情報が取得される場合、通信Ｉ／Ｆ部１１２または第２装置側通信部１１８を制御して、携帯情報装置２００との間の通信を確立する。この場合、装置側通信制御部５１は、第１装置側通信部１１７を制御して、携帯情報装置２００との間で、通信Ｉ／Ｆ部１１２または第２装置側通信部１１８のいずれかと通信を確立するための手順を実行する。これにより、ＭＦＰ１００Ａは、携帯情報装置２００との間で、通信Ｉ／Ｆ部１１２または第２装置側通信部１１８のいずれかで通信経路を確立する。
【００６７】
認証部５３は、識別情報取得部６３から装置識別情報が入力されることに応じて、装置識別情報に基づいて、ＭＦＰ１００Ａを操作するユーザーを特定する。ＨＤＤ１１５に、ＭＦＰ１００Ａを操作するユーザーのユーザーデータを記憶しておく。このユーザーデータは、ユーザーを識別するためのユーザー識別情報と、そのユーザーに割り当てられた携帯情報装置２００の装置識別情報と、を含む。認証部５３は、識別情報取得部６３から入力される装置識別情報と同じ装置識別情報を含むユーザーデータを抽出し、抽出されたユーザーデータのユーザー識別情報のユーザーを特定する。認証部５３は、ユーザーを特定する場合、そのユーザーのユーザー識別情報をパネル制御部５５に出力する。認証部５３は、識別情報取得部６３から入力される装置識別情報と同じ装置識別情報を含むユーザーデータを抽出できない場合、ゲストユーザーを特定する。認証部５３は、ゲストユーザーを特定する場合、ゲストユーザーのユーザー識別情報をパネル制御部５５に出力する。
【００６８】
＜登録装置の機能＞
パネル制御部５５は、認証部５３からユーザー識別情報が入力された後に、操作部１６３に入力される操作を、そのユーザー識別情報のユーザーによる操作として受け付ける。パネル制御部５５は、処理特定部７１と、認証情報受付部７３と、を含む。
【００６９】
処理特定部７１は、ユーザー識別情報で特定されるユーザーが携帯する携帯情報装置２００に実行させる処理を特定する。処理特定部７１は、選択部７５と、設定値受付部７７と、を含む。処理特定部７１は、表示部１６１に処理特定画面を表示する。処理特定画面は、携帯情報装置２００が実行可能な複数の処理を選択可能な画面であり、複数の処理それぞれの処理識別情報のリストを含む。
【００７０】
選択部７５は、表示部１６１に表示された処理特定画面に従って、ユーザーが操作部１６３に処理識別情報を選択する操作を入力すれば、選択された処理識別情報で特定される処理を選択する。選択部７５は、選択された処理の処理識別情報を設定値受付部７７に出力する。選択部７５は、ユーザーが複数の処理識別情報を選択する場合、選択された複数の処理識別情報でそれぞれ特定される複数の処理を選択する。選択部７５は、複数の処理を選択する場合、選択された順を処理の実行順に決定する。選択部７５は、ユーザーが複数の処理識別情報を選択する場合、複数の処理の処理識別情報と実行順と、を設定値受付部７７に出力する。
【００７１】
設定値受付部７７は、選択部７５から処理識別情報が入力されることに応じて、その処理識別情報で特定される処理に対応する設定値設定画面を表示部１６１に表示する。設定値設定画面は、選択された処理に対応する画面であり、選択された処理を携帯情報装置２００が実行するために用いる設定値を入力する領域を含む。携帯情報装置２００が実行可能な処理が、それが備えるフラッシュメモリ２０３に記憶されたデータを抽出する処理の場合、データを抽出する条件が設定値である。データを抽出する条件となる設定値は、例えば、データの名称に含まれる文字列、データが記憶された年月日等である。携帯情報装置２００が実行可能な処理が、電子メールを送信する処理の場合、電子メールの宛先を示す電子メールアドレスが設定値である。設定値受付部７７は、ユーザーが設定値設定画面に含まれる設定値を入力する領域に、ユーザーが操作部１６３に設定値を入力すれば、入力された設定値を、その領域に対応する処理の設定値として受け付ける。設定値受付部７７は、処理識別情報と設定値との組をコマンド生成部５７に出力する。選択部７５によって複数の処理が選択される場合、設定値受付部７７は、処理識別情報と設定値との組の複数と、実行順とを、コマンド生成部５７に出力する。
【００７２】
認証情報受付部７３は、認証情報受付画面を表示部１６１に表示する。認証情報受付画面は、認証情報を入力する領域を含む。認証情報は、任意の英数文字列であり、例えば、パスワードである。この認証情報は、ユーザーが携帯する携帯情報装置２００に登録されたパスワードと同じである。認証情報受付部７３は、ユーザーが操作部１６３に入力する認証情報を受け付け、受け付けられた認証情報を制御情報生成部５９に出力する。
【００７３】
コマンド生成部５７は、設定値受付部７７から処理識別情報と設定値との組が入力される。また、設定値受付部７７から処理識別情報と設定値との組が複数入力される場合は、実行順が入力される。コマンド生成部５７は、処理識別情報で特定される処理を携帯情報装置２００に設定値を用いて実行させるためのコマンドを生成する。コマンドは、携帯情報装置２００が実行可能な複数の処理のいずれかを特定する処理識別情報と、処理識別情報で特定される処理に対する設定値と、を含む。コマンド生成部５７は、実行順が入力される場合は、複数の処理識別情報にそれぞれ対応する複数のコマンドを生成するが、複数のコマンドを実行順に従って携帯情報装置２００が実行するように、複数のコマンドを実行順に配列する。コマンド生成部５７は、生成された１以上のコマンドを制御情報生成部５９に出力する。
【００７４】
制御情報生成部５９は、識別情報取得部６３から携帯情報装置２００の装置識別情報が入力され、コマンド生成部５７から１以上のコマンドが入力され、認証情報受付部７３から認証情報が入力される。制御情報生成部５９は、装置識別情報と、１以上のコマンドと、認証情報と、を含む制御情報を生成し、生成された制御情報を装置側通信制御部５１に出力する。
【００７５】
装置側通信制御部５１は、制御情報送信部６７を、さらに含む。制御情報送信部６７は、制御情報生成部５９から制御情報が入力されることに応じて、通信Ｉ／Ｆ部１１２を制御して、制御情報を管理サーバー３００に送信する。ＭＦＰ１００Ａに管理サーバー３００のネットワークアドレスを予め記憶しておき、そのネットワークアドレスを用いて管理サーバー３００に制御情報を送信する。管理サーバー３００においては、ＭＦＰ１００Ａから制御情報が入力されると、制御情報をＨＤＤ３０５に記憶する。
【００７６】
＜制御装置の機能＞
制御情報取得部６１は、識別情報取得部６３から装置識別情報が入力されることに応じて、その装置識別情報を含む制御情報を取得する。ＭＦＰ１００Ｂに管理サーバー３００のネットワークアドレスを予め記憶しておき、そのネットワークアドレスを用いて管理サーバー３００から制御情報を取得する。具体的には、制御情報取得部６１は、通信Ｉ／Ｆ部１１２を制御して、識別情報取得部６３から入力される装置識別情報を含む制御情報送信要求を管理サーバー３００に送信する。管理サーバー３００は、ＨＤＤ３０５に記憶されている制御情報のうちから、制御情報送信要求に含まれる装置識別情報と同じ装置識別情報を含む制御情報を抽出する。管理サーバー３００は、制御情報を抽出する場合、抽出された制御情報を、制御情報送信要求を送信してきたＭＦＰ１００Ｂに返信する。制御情報取得部６１は、制御情報送信要求の送信に応じて、通信Ｉ／Ｆ部１１２が管理サーバー３００から受信する制御情報を取得する。制御情報取得部６１は、取得された制御情報に含まれる認証情報とコマンドとの組を装置側通信制御部５１のコマンド送信部６５に出力する。
【００７７】
コマンド送信部６５は、制御情報取得部６１から認証情報とコマンドとの組が入力されることに応じて、識別情報取得部６３により取得された装置識別情報で特定される携帯情報装置２００に認証情報とコマンドとの組を送信する。制御情報取得部６１から制御情報が入力される前の段階で、識別情報取得部６３によって携帯情報装置２００の装置識別情報が取得されており、第２装置側通信部１１８または通信Ｉ／Ｆ部１１２のいずれかが、携帯情報装置２００との間で通信経路が確立されている。コマンド送信部６５は、第２装置側通信部１１８または通信Ｉ／Ｆ部１１２のうち携帯情報装置２００との間で通信経路が確立されているものを介して、認証情報とコマンドとの組を送信する。
【００７８】
ＭＦＰ１００Ｂは、識別情報取得部６３によって携帯情報装置２００から装置識別情報が取得された後、換言すれば、第１装置側通信部１１７が携帯情報装置２００と通信可能なった後に、制御情報取得部６１によって、その携帯情報装置２００に対応する制御情報が取得される場合に、制御装置として機能する。また、ＭＦＰ１００Ａは、識別情報取得部６３によって携帯情報装置２００から装置識別情報が取得された後、換言すれば、第１装置側通信部１１７が携帯情報装置２００と通信可能なった後に、制御情報取得部６１によって、その携帯情報装置２００に対応する制御情報が取得されない場合に、登録装置として機能する。
【００７９】
図８は、処理選択画面の一例を示す図である。図８を参照して、処理選択画面５００は、チェックボックス５０１〜５０７と、チェックボックス５０１〜５０７各々の右側に処理識別情報を配置した画面であり、６つの処理識別情報を列挙したリストを含む。ユーザーが、チェックボックス５０１〜５０７のいずれかを指示すれば、指示されたチェックボックスの右側に配置された処理識別情報で特定される処理が選択されるとともに、設定値設定画面が表示部１６１に表示される。
【００８０】
チェックボックス５０１の右側には処理識別情報「ファイル印刷」が配置される。処理識別情報「ファイル印刷」は、携帯情報装置２００に記憶されたデータをＭＦＰ１００Ａ，１００Ｂのいずれかにプリントさせる処理を示す。処理識別情報「ファイル印刷」で特定される処理は、携帯情報装置２００に記憶されたデータのうち処理対象となるデータを抽出するための設定値が対応付けられる。チェックボックス５０１が指示される場合に生成されるコマンドは、携帯情報装置２００に、フラッシュメモリ２０３に記憶されたデータのうちコマンドに含まれる設定値によって定められた条件に一致するデータをプリントするプリントジョブを生成し、ＭＦＰ１００ＡまたはＭＦＰ１００Ｂに送信する処理を実行させる。これにより、ＭＦＰ１００ＡまたはＭＦＰ１００Ｂは、携帯情報装置２００から受信するプリントジョブを実行するので、携帯情報装置２００に記憶されたデータの画像を用紙に形成する。コマンドに対応する設定値として、データを抽出する条件である、ユーザーが毎日作成するデータに付されるファイル名の一部、データ更新日時を「今日」とする場合、ＭＦＰ１００ＡまたはＭＦＰ１００Ｂに携帯情報装置２００を近づける操作をするだけで、毎日作成するデータの画像を用紙に形成することができる。
【００８１】
チェックボックス５０２の右側には処理識別情報「ファイル転送（ＭＦＰ→携帯端末）」が配置される。処理識別情報「ファイル転送（ＭＦＰ→携帯端末）」は、ＭＦＰ１００Ａ，１００Ｂのいずれかに記憶されたデータを携帯情報装置２００のフラッシュメモリ２０３に記憶する処理を示す。処理識別情報「ファイル転送（ＭＦＰ→携帯端末）」で特定される処理は、ＭＦＰ１００Ａ，１００Ｂのいずれかに記憶されたデータのうち処理対象となるデータを抽出するための設定値が対応付けられる。チェックボックス５０２が指示される場合に生成されるコマンドは、携帯情報装置２００に、ＭＦＰ１００Ａ，１００Ｂのいずれかに記憶されたデータのうちコマンドに含まれる設定値によって定められた条件に一致するデータを携帯情報装置２００にダウンロードする処理を実行させる。これにより、携帯情報装置２００は、ＭＦＰ１００Ａ、１００Ｂに記憶されたデータをフラッシュメモリ２０３に記憶することができる。コマンドに対応する設定値として、データを抽出する条件である、ユーザーが毎日作成するデータに付されるファイル名の一部、データ更新日時を「今日」とする場合、ＭＦＰ１００ＡまたはＭＦＰ１００Ｂに携帯情報装置２００を近づける操作をするだけで、ＭＦＰ１００ＡまたはＭＦＰ１００Ｂに記憶された毎日作成するデータをフラッシュメモリ２０３に記憶することができる。
【００８２】
チェックボックス５０３の右側には処理識別情報「ファイル転送（ＭＦＰ→サーバー）」が配置される。処理識別情報「ファイル転送（ＭＦＰ→サーバー）」は、ＭＦＰ１００Ａ，１００Ｂのいずれかに記憶されたデータを管理サーバー３００のＨＤＤ３０５に記憶する処理を示す。処理識別情報「ファイル転送（ＭＦＰ→サーバー）」で特定される処理は、ＭＦＰ１００Ａ，１００Ｂのいずれかに記憶されたデータのうち処理対象となるデータを抽出するための設定値と、管理サーバー３００に記憶するための記憶位置を示す設定値とが対応付けられる。チェックボックス５０３が指示される場合に生成されるコマンドは、携帯情報装置２００に、ＭＦＰ１００Ａ，１００Ｂのいずれかに記憶されたデータのうちコマンドに含まれる設定値によって定められた条件に一致するデータを、管理サーバー３００のコマンドに含まれる設定値によって定められた記憶位置に記憶する処理を実行させる。これにより、携帯情報装置２００は、ＭＦＰ１００Ａ、１００Ｂに記憶されたデータを管理サーバー３００に記憶させることができる。コマンドに対応する設定値として、データを抽出する条件である、ユーザーが毎日作成するデータに付されるファイル名の一部、データ更新日時を「今日」とする場合、ＭＦＰ１００ＡまたはＭＦＰ１００Ｂに携帯情報装置２００を近づける操作をするだけで、ＭＦＰ１００ＡまたはＭＦＰ１００Ｂに記憶された毎日作成するデータを、管理サーバー３００の所定の位置に記憶することができる。
【００８３】
なお、ここでは、ＭＦＰ１００Ａ，１００Ｂのいずれかに記憶されたデータを管理サーバー３００に記憶する例を示したが、データの記憶元と、記憶先との２つを設定値で設定することにより、任意の位置に記憶されたデータを、任意の位置に記憶するようにすることができる。
【００８４】
チェックボックス５０４の右側には処理識別情報「ファイル転送（携帯端末→ＭＦＰ）」が配置される。処理識別情報「ファイル転送（携帯端末→ＭＦＰ）」は、携帯情報装置２００に記憶されたデータをＭＦＰ１００Ａ，１００Ｂのいずれかに記憶する処理を示す。処理識別情報「ファイル転送（携帯端末→ＭＦＰ）」で特定される処理は、携帯情報装置２００に記憶されたデータのうち処理対象となるデータを抽出するための設定値と、ＭＦＰ１００Ａ，１００Ｂのいずれかに記憶するための記憶位置を示す設定値とが対応付けられる。チェックボックス５０４が指示される場合に生成されるコマンドは、携帯情報装置２００に、携帯情報装置２００のフラッシュメモリ２０３に記憶されたデータのうちコマンドに含まれる設定値によって定められた条件に一致するデータをＭＦＰ１００Ａ，１００Ｂのコマンドに含まれる設定値によって定められた記憶位置に記憶する処理を実行させる。これにより、携帯情報装置２００は、携帯情報装置２００に記憶されたデータをＭＦＰ１００ＡまたはＭＦＰ１００Ｂの予め定められた位置に記憶することができる。コマンドに対応する設定値として、データを抽出する条件である、ユーザーが毎日作成するデータに付されるファイル名の一部、データ更新日時を「今日」とする場合、ＭＦＰ１００ＡまたはＭＦＰ１００Ｂに携帯情報装置２００を近づける操作をするだけで、携帯情報装置２００のフラッシュメモリ２０３に記憶された毎日作成するデータをＭＦＰ１００ＡまたはＭＦＰ１００Ｂの予め定められた位置に記憶することができる。
【００８５】
チェックボックス５０５の右側には処理識別情報「ファイル消去」が配置される。処理識別情報「ファイル消去」は、携帯情報装置２００に記憶されたデータを消去する処理を示す。処理識別情報「ファイル消去」で特定される処理は、携帯情報装置２００に記憶されたデータをのうち処理対象となるデータを抽出するための設定値が対応付けられる。チェックボックス５０５が指示される場合に生成されるコマンドは、携帯情報装置２００に、コマンドに含まれる設定値によって定められた条件に一致するデータを消去する処理を実行させる。コマンドに対応する設定値として、データを抽出する条件である、ユーザーが毎日作成するデータに付されるファイル名の一部、データ更新日時を「１週間以内」とする場合、ＭＦＰ１００ＡまたはＭＦＰ１００Ｂに携帯情報装置２００を近づける操作をするだけで、携帯情報装置２００に記憶された毎日作成するデータであって、データ更新日が１週間以内のデータを消去することができる。
【００８６】
チェックボックス５０６の右側には処理識別情報「端末ロック」が配置される。処理識別情報「端末ロック」は、携帯情報装置２００を操作不可能な状態に遷移させる処理を示す。処理識別情報「端末ロック」で特定される処理は、設定値としてパスワードが対応付けられる。チェックボックス５０６が指示される場合に生成されるコマンドは、携帯情報装置２００を操作不可能な状態に遷移させる処理を実行させる。コマンドに対応する設定値として認証情報が設定される。このため、例えば、ユーザーが携帯情報装置２００を紛失したような場合、チェックボックス５０６を指示したコマンドを含む制御情報を管理サーバー３００に登録するようにすれば、携帯情報装置２００を取得した第三者がＭＦＰ１００ＡまたはＭＦＰ１００Ｂに携帯情報装置２００を近づける操作をするだけで、その携帯情報装置２００が操作不可能な状態になる。この場合には、チェックボックス５０４を指示したコマンドを含む制御情報を管予め理サーバー３００に登録するのが好ましい。そうすれば、携帯情報装置２００のフラッシュメモリ２０３に記憶されているデータの全てを、予め定められた記憶先に記憶することができる。なお、チェックボックス５０６を指示したコマンドを含む制御情報を、携帯情報装置２００を紛失する前に、管理サーバー３００に登録しておく必要がある。この場合には、管理サーバー３００に登録した制御情報を、携帯情報装置２００を紛失する前は無効にしておき、携帯情報装置２００を紛失した後に有効にするようにすればよい。
【００８７】
チェックボックス５０７の右側には処理識別情報「カメラ起動／撮影」が配置される。処理識別情報「カメラ起動／撮影」は、携帯情報装置２００が備えるカメラ２０２を起動して被写体を撮像させる処理と、撮像して得られる画像を電子メールで送信する処理とを示す。処理識別情報「カメラ起動／撮影」で特定される処理は、設定値として電子メールアドレスが対応付けられる。チェックボックス５０７が指示される場合に生成されるコマンドは、携帯情報装置２００にカメラ２０２で撮像させる処理と、撮像して得られる画像を電子メールで送信する処理とを実行させる。コマンドに対応する設定値として電子メールアドレスが設定される。このため、例えば、ユーザーが携帯情報装置２００を紛失したような場合、チェックボックス５０７を指示したコマンドを含む制御情報を管理サーバー３００に登録するようにすれば、携帯情報装置２００を取得した第三者がＭＦＰ１００ＡまたはＭＦＰ１００Ｂに携帯情報装置２００を近づける操作をするだけで、その携帯情報装置２００が第三者を撮像した画像を含む電子メールを設定値で設定した電子メールアドレス宛に送信する。この場合には、チェックボックス５０４を指示したコマンドを含む制御情報を管理サーバー３００に登録するのが好ましい。そうすれば、携帯情報装置２００のフラッシュメモリ２０３に記憶されているデータの全てを、予め定められた記憶先に記憶することができる。なお、チェックボックス５０７を指示したコマンドを含む制御情報を、携帯情報装置２００を紛失する前に、管理サーバー３００に登録しておく必要がある。この場合には、管理サーバー３００に登録した制御情報を、携帯情報装置２００を紛失する前は無効にしておき、携帯情報装置２００を紛失した後に有効にするようにすればよい。
【００８８】
図９は、設定値設定画面の一例を示す第１の図である。図９に示す設定値設定画面は、図８に示した処理選択画面において、チェックボックス５０４が指示された場合に表示される画面である。具体的には、処理識別情報「ファイル転送（携帯端末→ＭＦＰ）」で特定される処理に対応する設定値のうち、携帯情報装置２００に記憶されたデータのうち処理対象となるデータを抽出するための設定値を設定するための画面である。図９を参照して、設定値設定画面５１０は、ファイル名を入力する領域５１１と、ファイル更新日を特定するための条件を指定する領域５１２と、を含む。領域５１２は、ファイル更新日として、「今日」、「１週間以内」および指定日のいずれかを指定する領域を含む。指定日を指定する場合には、期間を入力する領域を含む。
【００８９】
図１０は、設定値設定画面の一例を示す第２の図である。図１０に示す設定値設定画面は、図８に示した処理選択画面において、チェックボックス５０３が指示された後、図９に示した設定値設定画面５１０において設定値が設定された後に表示される画面である。具体的には、処理識別情報「ファイル転送（携帯端末→ＭＦＰ）」で特定される処理に対応する設定値のうち、ＭＦＰ１００Ａ，１００Ｂのいずれかに記憶するための記憶位置を示す設定値を設定するための画面である。図１０を参照して、設定値設定画面５２０は、記憶位置を入力する領域５２１を含む。領域５２１には、ＭＦＰ１００Ａ、１００Ｂ各々が備えるＨＤＤ１１５が有するフォルダを指定する値が設定される。このような設定値としては、限定するものではないが、例えば、直接パスを用いるようにしてもよいし、ＩＰアドレスを用いるようにしてもよいし、ＵＲＬ（Ｕｎｉｆｏｒｍ  Ｒｅｓｏｕｒｃｅ  Ｌｏｃａｔｏｒ）を用いるようにしてもよい。
【００９０】
図１１は、携帯情報装置が備えるＣＰＵの機能の一例を示す機能ブロック図である。図１１に示す機能は、携帯情報装置２００が備えるＣＰＵ２０１が遠隔操作プログラムを実行することにより、ＣＰＵ２０１に形成される。図１１を参照して、携帯情報装置２００が備えるＣＰＵ２０１は、携帯側通信制御部２５１と、認証部２５３と、コマンド実行部２５５と、を含む。
【００９１】
携帯側通信制御部２５１は、無線ＬＡＮＩ／Ｆ２０６、第１携帯側通信部２０９および第２携帯側通信部２１０を制御する。携帯側通信制御部２５１は、識別情報送信部２６１と、コマンド受信部２６３と、を含む。識別情報送信部２６１は、第１携帯側通信部２０９を制御し、第１携帯側通信部２０９がＭＦＰ１００Ａ，１００Ｂのいずれかと通信可能になると、ＭＦＰ１００Ａ，１００Ｂのうち通信可能となった装置に、携帯情報装置２００の装置識別情報を送信する。ここでは、ＭＦＰ１００Ｂと通信可能になった場合を例に説明する。この場合、携帯情報装置２００がＭＦＰ１００Ｂから第１の距離の範囲内に近づいた場合であり、識別情報送信部２６１は、第１携帯側通信部２０９を制御して、装置識別情報をＭＦＰ１００Ｂに送信する。
【００９２】
携帯側通信制御部２５１は、識別情報送信部２６１によって携帯情報装置２００の装置識別情報をＭＦＰ１００に送信する場合、無線ＬＡＮＩ／Ｆ２０６または第２携帯側通信部２１０を制御して、ＭＦＰ１００Ｂとの間で通信経路を確立する。この場合、携帯側通信制御部２５１は、第１携帯側通信部２０９を制御して、ＭＦＰ１００Ｂとの間で、無線ＬＡＮＩ／Ｆ２０６または第２携帯側通信部２１０のいずれかと通信経路を確立するための手順を実行する。これにより、携帯情報装置２００はＭＦＰ１００Ｂとの間で、無線ＬＡＮＩ／Ｆ２０６または第２携帯側通信部２１０のいずれかを介して通信可能となる。ここでは、第２携帯側通信部２１０がＭＦＰ１００Ｂとの間で通信可能となった場合を例に説明する。
【００９３】
コマンド受信部２６３は、無線ＬＡＮＩ／Ｆ２０６または第２携帯側通信部２１０のうち通信経路が確立された側、ここでは第２携帯側通信部２１０を制御し、第２携帯側通信部２１０がＭＦＰ１００Ｂから認証情報とコマンドとを受信する場合、認証情報を認証部２５３に出力し、コマンドをコマンド実行部２５５に出力する。
【００９４】
認証部２５３は、コマンド受信部２６３から入力される認証情報が、フラッシュメモリ２０３に予め記憶された認証情報と一致するか否かを判断する。両者が一致する場合、認証部２５３は、コマンド実行部２５５に実行指示を出力するが、両者が一致しない場合、認証部２５３は、コマンド実行部２５５に実行禁止指示を出力する。
【００９５】
コマンド実行部２５５は、認証部２５３から実行指示が入力されることを条件に、コマンド受信部２６３から入力されるコマンドを実行する。コマンドは、携帯情報装置２００が実行可能な複数の処理のいずれかに対応し、設定値を含む。コマンド実行部２５５は、コマンドにより特定される処理を、コマンドに含まれる設定値を用いて実行する。
【００９６】
このように、携帯情報装置２００を携帯するユーザーは、登録装置として機能するＭＦＰ１００Ａに携帯情報装置２００を第１の距離まで近づけると、ＭＦＰ１００Ａに携帯情報装置２００に実行させる処理を登録することができる。ＭＦＰ１００Ａは、ユーザーにより登録された処理を携帯情報装置２００に実行させるコマンドを生成し、そのコマンドを含む制御情報を管理サーバー３００に記憶させる。その後、携帯情報装置２００が、ＭＦＰ１００Ｂに携帯情報装置２００を第１の距離まで近づくと、ＭＦＰ１００Ｂは管理サーバー３００から制御情報を取得するので制御装置として機能し、制御情報に含まれるコマンドを携帯情報装置２００に送信し、携帯情報装置２００にコマンドを実行させる。このため、携帯情報装置２００に実行させる処理を、登録装置であるＭＦＰ１００Ａで予め登録することができる。また、ＭＦＰ１００Ａに登録された処理は、携帯情報装置２００が制御装置として機能するＭＦＰ１００Ｂに第１の距離まで近づくと実行されるので、携帯情報装置２００に操作を入力する必要がない。
【００９７】
図１２は、装置制御処理の流れの一例を示すフローチャートである。装置制御処理は、ＭＦＰ１００Ａ、１００Ｂ各々が備えるＣＰＵ１１１が装置制御プログラムを実行することにより、ＣＰＵ１１１により実行される処理である。ここでは、ＭＦＰ１００Ａが備えるＣＰＵ１１１が装置制御プログラムを実行する場合を例に説明する。図１２を参照して、ＣＰＵ１１１は、携帯情報装置２００を検出したか否かを判断する（ステップＳ０１）。第１装置側通信部１１７が携帯情報装置２００と通信可能になると、携帯情報装置２００を検出する。携帯情報装置２００を検出するまで待機状態となり（ステップＳ０１でＮＯ）、携帯情報装置２００を検出したならば（ステップＳ０１でＹＥＳ）、処理をステップＳ０２に進める。
【００９８】
ステップＳ０２においては、第１装置側通信部１１７を制御して、携帯情報装置２００の装置識別情報を取得する。そして、第１装置側通信部１１７を制御して、携帯情報装置２００と通信することにより、通信Ｉ／Ｆ部１１２または第２装置側通信部１１８のいずれかで携帯情報装置２００との間の通信経路を確立する。ここでは、第２装置側通信部１１８と携帯情報装置２００との間の通信経路を確立する場合を例に説明する。
【００９９】
次のステップＳ０４においては、通信Ｉ／Ｆ部１１２を介して、制御情報取得要求を管理サーバー３００に送信する。制御情報取得要求は、ステップＳ０２において取得された携帯情報装置２００の装置識別情報を含む。制御情報取得要求を受信する管理サーバー３００は、制御情報取得要求に含まれる装置識別情報と同じ装置識別情報を含む制御情報を記憶している場合、その制御情報を返信するが、そのような制御情報を記憶していない場合、制御情報を返信しない。次のステップＳ０５においては、通信Ｉ／Ｆ部１１２が管理サーバー３００から制御情報を受信したか否かを判断する。制御情報を受信したならば処理をステップＳ０６に進めるが、そうでなければ処理をステップＳ０７に進める。
【０１００】
ステップＳ０６においては、制御情報に含まれる認証情報とコマンドとの組を、ステップＳ０３において通信経路が確立されている第２装置側通信部１１８を介して携帯情報装置２００に送信し、処理を終了する。
【０１０１】
ステップＳ０７においては、処理選択画面を表示部１６１に表示する。そして、処理の選択を受け付けたか否かを判断する。表示部１６１に表示された処理選択画面に従って、ユーザーが操作部１６３に処理識別情報を選択する操作を受け付けたか否かを判断する。
処理識別情報を選択する操作を受け付けたならば処理をステップＳ０９に進めるが、そうでなければ処理をステップＳ１２に進める。ステップＳ０９においては、選択された処理識別情報を特定する。
【０１０２】
次のステップＳ１０においては、設定値を受け付けたか否かを判断する。ステップS０８において選択された処理に対応する設定値設定画面を表示部１６１に表示し、表示された設定値設定画面に含まれる設定値を入力する領域に、ユーザーが操作部１６３を用いて設定値を入力すれば、入力された設定値を、その領域に対応する処理の設定値として受け付ける。設定値を受け付けるまで待機状態となり、設定値を受け付けたならば処理をステップＳ１１に進める。ステップＳ１１においては、コマンドを生成する。ステップＳ０９において特定される処理識別情報で識別される処理を、ステップＳ１０において受け付けられた設定値を用いで実行させるコマンドを生成する。コマンドは、設定値を引数として含む。
【０１０３】
ステップＳ１２においては、処理の選択が終了したか否かを判断する。例えば、操作部１６３が備える終了キーがユーザーにより指示される場合に、処理の選択が終了したと判断する。処理の選択が終了したならば処理をステップＳ１３に進めるが、そうでなければ処理をステップＳ０７に戻す。
【０１０４】
ステップＳ１３においては、認証情報を受け付ける。認証情報受付画面を表示部１６１に表示し、認証情報受付画面に従って、ユーザーが操作部１６３に入力する認証情報を受け付ける。そして、制御情報を生成する。ステップＳ０２において取得された装置識別情報と、ステップＳ１１において生成されたコマンドと、ステップＳ１３において受け付けられた認証情報と、を含む制御情報を生成する。
【０１０５】
次のステップＳ１５においては、生成された制御情報を、通信Ｉ／Ｆ部１１２を介して管理サーバー３００に送信し、処理を終了する。管理サーバー３００においては、制御情報を受信すると、その制御情報をＨＤＤ３０５に記憶する。
【０１０６】
図１３は、被制御処理の流れの一例を示すフローチャートである。被制御処理は、携帯情報装置２００が備えるＣＰＵ２０１が遠隔操作プログラムを実行することにより、ＣＰＵ２０１により実行される処理である。図１３を参照して、ＣＰＵ２０１は、ＭＦＰ１００ＡまたはＭＦＰ１００Ｂを検出したか否かを判断する（ステップＳ２１）。ＭＦＰ１００ＡまたはＭＦＰ１００Ｂのいずれかを検出するまで待機状態となり（ステップＳ２１でＮＯ）、ＭＦＰ１００ＡまたはＭＦＰ１００Ｂのいずれかを検出したならば（ステップＳ２１でＹＥＳ）、処理をステップＳ２２に進める。第１携帯側通信部２０９がＭＦＰ１００Ａ，１００Ｂのいずれかと通信可能になると、ＭＦＰ１００Ａ，１００Ｂのうち通信可能となった装置を検出する。ここでは、第１携帯側通信部２０９がＭＦＰ１００Ａと通信可能になり、ＭＦＰ１００Ａを検出する場合を例に説明する。
【０１０７】
次のステップＳ２２においては、第１携帯側通信部２０９を介して、携帯情報装置２００の装置識別情報をＭＦＰ１００Ａに送信する。そして、ＭＦＰ１００Ａとの間で通信経路を確立する（ステップＳ２３）。第１装置側通信部１１７を制御して、ＭＦＰ１００Ａと通信することにより、無線ＬＡＮＩ／Ｆ２０８または第２携帯側通信部２１０のいずれかでＭＦＰ１００Ａとの間の通信経路を確立する。ここでは、第２携帯側通信部２１０とＭＦＰ１００Ａとの間の通信経路を確立する場合を例に説明する。
【０１０８】
次のステップＳ２４においては、ＭＦＰ１００Ａとの間で通信経路を確立した第２携帯側通信部２１０が、ＭＦＰ１００Ａから認証情報とコマンドとを受信したか否かを判断する。認証情報とコマンドとを受信したならば処理をステップＳ２５に進めるが、そうでなければ処理を終了する。
【０１０９】
ステップＳ２５においては、受信された認証情報を用いて認証する。受信された認証情報がフラッシュメモリ２０３に予め記憶された認証情報と一致するか否かを判断する。両者が一致するならば認証し、両者が一致しなければ認証しない。そして、認証に成功したか否かを判断する（ステップＳ２６）。ステップＳ２５において認証する場合は処理をステップＳ２７に進めるが、ステップＳ２５において認証しない場合は処理を終了する。ステップＳ２７においては、コマンドを実行する。コマンドにより特定される処理を、コマンドに含まれる設定値を用いて実行する。
【０１１０】
以上説明したように、本実施の形態における装置制御システム１において、ＭＦＰ１００Ａが制御装置として機能する場合、ＭＦＰ１００Ａは、携帯情報装置２００と通信可能となると、携帯情報装置２００の装置識別情報を取得し、その後に受け付けられた操作に従って、携帯情報装置２００に実行させる処理を特定し、携帯情報装置の装置識別情報と、特定された処理を携帯情報装置２００に実行させるコマンドとを含む制御情報を生成し、管理サーバー３００に登録する。また、ＭＦＰ１００Ｂが制御装置として機能する場合、ＭＦＰ１００Ｂは、携帯情報装置２００と通信可能となると、携帯情報装置２００の装置識別情報を取得し、ＭＦＰ１００Ａによって生成された制御情報であって携帯情報装置２００の装置識別情報と同じ装置識別情報を含む制御情報を取得し、制御情報に含まれるコマンドを携帯情報装置２００に送信する。このため、携帯情報装置２００は、ＭＦＰ１００Ｂと通信可能な状態になることに応じて、ＭＦＰ１００Ｂに装置識別情報を送信し、ＭＦＰ１００Ｂからコマンドを受信する場合、受信されたコマンドを実行する。このため、携帯情報装置２００に実行させる処理を定めるコマンドを含む制御情報をＭＦＰ１００Ａを介して管理サーバー３００に登録すれば、次に、携帯情報装置２００をＭＦＰ１００Ｂと第１の距離の範囲内に近づけると、登録された制御情報に含まれるコマンドが携帯情報装置２００で実行される。このため、ユーザーによる操作に関係なく、携帯情報装置２００に処理を実行させることができる。
【０１１１】
また、ＭＦＰ１００が登録装置として機能する場合に、制御情報の登録時に携帯情報装置２００に登録された認証情報と同じ認証情報を受け付け、管理サーバー３００に認証情報を含む制御情報を記憶する。携帯情報装置２００をＭＦＰ１００Ｂと第１の距離の範囲内に近づけると、ＭＦＰ１００Ｂからコマンドとともに認証情報を受信するので、携帯情報装置２００は、認証情報が予め登録された認証情報と一致することを条件に、コマンドを実行する。このため、携帯情報装置２００に登録された認証情報を知るユーザーのみによって、制御情報が登録されるので、携帯情報装置２００にコマンドを実行させることのできるユーザーを制限することができる。
【０１１２】
また、コマンドは、携帯情報装置が実行可能な複数の処理のいずれかを識別するため処理識別情報と、処理識別情報で特定される処理に対する設定値と、を含むので、携帯情報装置に種々の処理を実行させることができる。
【０１１３】
また、携帯情報装置２００に実行させる処理として予め登録された複数の処理は、携帯情報装置２００に記憶されたデータのうちから設定値により特定される条件を満たすデータを抽出する検索処理を含むので、携帯情報装置２００に記憶されたデータのうちから処理の対象とするデータを特定することができる。
【０１１４】
また、携帯情報装置２００に実行させる処理として予め登録された複数の処理は、データを設定値により特定される送信先に送信する送信処理を含むので、データを任意の送信先に記憶させることができる。
【０１１５】
また、携帯情報装置２００に実行させる処理として予め登録された複数の処理は、ユーザーによる操作の受付を禁止する状態に設定するロック設定処理を含むので、携帯情報装置を操作できない状態にすることができる。
【０１１６】
また、制御情報を管理サーバー３００に記憶するので、インターネット５に接続されたＭＦＰ１００Ａで携帯情報装置２００に対する制御情報を登録することができ、またインターネット５に接続されたＭＦＰ１００Ｂに携帯情報装置２００が近づけば、携帯情報装置２００に、ＭＦＰ１００Ａで登録された制御情報により定まるコマンドを実行させることができる。
【０１１７】
なお、上述した実施の形態においては、管理サーバー３００と、画像形成装置の一例としてＭＦＰ１００Ａ，１００Ｂと、携帯情報装置２００とを含む装置制御システム１について説明したが、図１２に示した装置制御処理をＭＦＰ１００Ａ，１００Ｂそれぞれに実行させる装置制御方法として、また、その装置制御方法をＭＦＰ１００Ａ，１００Ｂそれぞれが備えるＣＰＵ１１１に実行させる装置制御プログラムとして発明を捉えることができるのは言うまでもない。
【０１１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１９】
１  装置制御システム、５  インターネット、１００Ａ，１００Ｂ  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  第１装置側通信部、１１７Ａ  接触位置通知領域、１１８  第２装置側通信部、１１９  外部記憶装置、１１９Ａ  ＣＤ−ＲＯＭ、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、１６７  ハードキー部、２００  携帯情報装置、２０１  ＣＰＵ、２０２  カメラ、２０３  フラッシュメモリ、２０４  無線通信部、２０５  通話部、２０６  表示部、２０７  操作部、２０８  無線ＬＡＮＩ／Ｆ、２０９  第１携帯側通信部、２１０  第２携帯側通信部、２１１  外部記憶装置、３００  管理サーバー、３０１  ＣＰＵ、３０２  ＲＯＭ，３０３  ＲＡＭ、３０４  ネットワークＩ／Ｆ、３０５  ＨＤＤ、３０６  表示部、３０７  操作部、３０８  バス、３０９  外部記憶装置、５１  装置側通信制御部、５３  認証部、５５  パネル制御部、５７  コマンド生成部、５９  制御情報生成部、６１  制御情報取得部、６３  識別情報取得部、６５  コマンド送信部、６７  制御情報送信部、７１  処理特定部、７３  認証情報受付部、７５  選択部、７７  設定値受付部、２５１  携帯側通信制御部、２５３  認証部、２５５  コマンド実行部、２６１  識別情報送信部、２６３  コマンド受信部。
【図１】
2019033523.tif 000003
【図２】
2019033523.tif 000004
【図３】
2019033523.tif 000005
【図４】
2019033523.tif 000006
【図５】
2019033523.tif 000007
【図６】
2019033523.tif 000008
【図７】
2019033523.tif 000009
【図８】
2019033523.tif 000010
【図９】
2019033523.tif 000011
【図１０】
2019033523.tif 000012
【図１１】
2019033523.tif 000013
【図１２】
2019033523.tif 000014
【図１３】
2019033523.tif 000015
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
ネットワークに接続された複数の画像処理装置と、複数の前記画像処理装置のいずれかと無線通信可能な携帯情報装置とを含む装置制御システムであって、
複数の前記画像処理装置各々は、前記携帯情報装置と通信可能な装置側通信手段と、
前記携帯情報装置が所定の距離の範囲内に存在する場合に、前記携帯情報装置に実行させるために予め登録された所定の処理を前記携帯情報装置に実行させるコマンドを、前記装置側通信手段により前記携帯情報装置に送信するコマンド送信手段と、を備えており、
前記携帯情報装置は、前記画像処理装置と通信可能な携帯側通信手段と、
複数の前記画像処理装置のいずれかが前記所定の距離の範囲内に存在する場合に前記携帯情報装置に対応する前記コマンドを受信し、受信した前記コマンドに対応する前記所定の処理を実行するコマンド実行手段と、を備えた、装置制御システム。
【請求項２】
前記コマンドは前記携帯情報装置ごとに予め登録される、請求項１に記載の装置制御システム。
【請求項３】
前記携帯情報装置に対応する前記コマンドは当該携帯情報装置を識別するための装置識別情報とともに登録される、請求項１または２に記載の装置制御システム。
【請求項４】
複数の前記画像処理装置各々は、
前記携帯情報装置と通信可能な状態になることに応じて、前記携帯情報装置を識別するための装置識別情報を受信する識別情報取得手段を、さらに備え、
前記コマンド送信手段は、前記識別情報取得手段により受信された前記装置識別情報と同じ前記装置識別情報に対して登録された前記コマンドを前記携帯情報装置に送信する、請求項１〜３のいずれかに記載の装置制御システム。
【請求項５】
前記装置側通信手段と前記携帯側通信手段は互いに近距離無線通信可能な無線通信手段を含む、請求項１〜４のいずれかに記載の装置制御システム。
【請求項６】
前記ネットワークに接続されたサーバーをさらに備え、
前記サーバーは、前記携帯情報装置に対して前記コマンドを記憶する記憶手段を備え、
前記コマンド送信手段は、前記携帯情報装置を示す装置識別情報と同じ前記装置識別情報に対応する前記コマンドを前記サーバーから取得し、前記携帯情報装置に送信する、請求項１〜５のいずれかに記載の装置制御システム。
【請求項７】
前記コマンドは前記携帯情報装置に対応して登録された認証情報とともに登録されている、請求項１〜６のいずれかに記載の装置制御システム。
【請求項８】
前記コマンド送信手段は、前記コマンドに対応して登録された認証情報を、さらに前記携帯情報装置に送信し、
前記携帯情報装置の前記コマンド実行手段は、受信された前記認証情報が前記携帯情報装置に予め登録された前記認証情報と一致することを条件に、受信された前記コマンドを実行する、請求項７に記載の装置制御システム。
【請求項９】
前記所定の処理はユーザーから受け付けた操作に応じて特定され、前記コマンドとして登録可能である、請求項１〜８のいずれかに記載の装置制御システム。
【請求項１０】
複数の前記画像処理装置各々は、前記携帯情報装置を識別するための装置識別情報と、前記所定の処理を前記携帯情報装置に実行させる前記コマンドと、を含む制御情報を生成する制御情報生成手段を、さらに備える請求項１〜９のいずれかに記載の装置制御システム。
【請求項１１】
前記制御情報はさらに前記携帯情報装置に対応して登録された認証情報を含む、請求項１０に記載の装置制御システム。
【請求項１２】
前記所定の処理は、前記携帯情報装置に実行させる処理として予め登録された複数の処理のうちから１以上が処理識別情報として指定されるとともに、選択された１以上の処理を実行するための設定値が受け付けられることにより登録され、
前記コマンドは、前記処理識別情報と、前記処理識別情報で特定される処理に対する前記設定値と、を含む、請求項１〜１１のいずれかに記載の装置制御システム。
【請求項１３】
前記所定の処理は、前記携帯情報装置に記憶されたデータのうちから前記設定値により特定される条件を満たすデータを抽出する検索処理をさらに含む、請求項１２に記載の装置制御システム。
【請求項１４】
前記所定の処理は、前記検索処理によって抽出されたデータを、前記画像処理装置に記憶させるように転送する転送処理をさらに含む、請求項１３に記載の装置制御システム。
【請求項１５】
前記所定の処理は、前記検索処理によって抽出されたデータに基づき、当該データに対応するプリントジョブを生成し、前記画像処理装置に送信するプリント処理を、さらに含む請求項１３または１４に記載の装置制御システム。
【請求項１６】
前記所定の処理は、データを前記設定値により特定される送信先に転送する転送処理を含む、請求項１２〜１５のいずれかに記載の装置制御システム。
【請求項１７】
前記転送処理は、前記携帯情報装置が備えるカメラで撮影された画像データを、前記設定値で特定された送信先に送信する処理である、請求項１６に記載の装置制御システム。
【請求項１８】
前記所定の処理は、前記画像処理装置に記憶されたデータのうちから前記設定値により特定される条件を満たすデータを前記携帯情報装置にダウンロードするダウンロード処理を含む、請求項１２〜１７のいずれかに記載の装置制御システム。
【請求項１９】
前記所定の処理は、前記携帯情報装置に記憶されたデータを消去する消去処理を含む、請求項１〜１８のいずれかに記載の装置制御システム。
【請求項２０】
前記所定の処理は、前記携帯情報装置においてユーザーによる操作の受付を禁止する状態に設定するロック設定処理を含む、請求項１〜１９のいずれかに記載の装置制御システム。
【請求項２１】
携帯情報装置と通信可能な画像処理装置であって、
前記携帯情報装置と通信可能な装置側通信手段と、
前記携帯情報装置が所定の距離の範囲内に存在する場合に、前記携帯情報装置に実行させるために予め登録された所定の処理を前記携帯情報装置に実行させるコマンドを、前記装置側通信手段により前記携帯情報装置に送信するコマンド送信手段と、を備えた画像処理装置。
【請求項２２】
前記コマンドは前記携帯情報装置ごとに予め登録される、請求項２１に記載の画像処理装置。
【請求項２３】
前記携帯情報装置に対応する前記コマンドは当該携帯情報装置を識別するための装置識別情報とともに登録されている、請求項２２に記載の画像処理装置。
【請求項２４】
前記携帯情報装置と通信可能な状態になることに応じて、前記携帯情報装置を識別するための装置識別情報を受信する識別情報取得手段を、さらに備え、
前記コマンド送信手段は、前記識別情報取得手段により受信された前記装置識別情報と同じ前記装置識別情報に対して登録された前記コマンドを前記携帯情報装置に送信する、請求項２１〜２３のいずれかに記載の画像処理装置。
【請求項２５】
前記コマンド送信手段は、前記携帯情報装置を示す装置識別情報と同じ前記装置識別情報に対応する前記コマンドをネットワークに接続されたサーバーから取得し、前記携帯情報装置に送信する、請求項２１〜２４のいずれかに記載の画像処理装置。
【請求項２６】
携帯情報装置と通信可能な画像処理装置で実行される装置制御方法であって、
所定の距離の範囲内に前記携帯情報装置が存在するか否か判断する判断ステップと、
前記携帯情報装置が所定の距離の範囲内に存在する場合に、前記携帯情報装置に実行させるために予め登録された所定の処理を前記携帯情報装置に実行させるコマンドを、前記携帯情報装置に送信するコマンド送信ステップと、を前記画像処理装置に実行させる装置制御方法。
【請求項２７】
携帯情報装置と通信可能な画像処理装置を制御するコンピューターで実行される装置制御プログラムであって、
所定の距離の範囲内に前記携帯情報装置が存在するか否か判断する判断ステップと、
前記携帯情報装置が所定の距離の範囲内に存在する場合に、前記携帯情報装置に実行させるために予め登録された所定の処理を前記携帯情報装置に実行させるコマンドを、前記携帯情報装置に送信するコマンド送信ステップと、を前記コンピューターに実行させる装置制御プログラム。
【手続補正２】
【補正対象書類名】明細書
【補正対象項目名】０００９
【補正方法】変更
【補正の内容】
【０００９】
上述した目的を達成するためにこの発明のある局面によれば、装置制御システムは、ネットワークに接続された複数の画像処理装置と、複数の画像処理装置のいずれかと無線通信可能な携帯情報装置とを含む装置制御システムであって、複数の画像処理装置各々は、携帯情報装置と通信可能な装置側通信手段と、携帯情報装置が所定の距離の範囲内に存在する場合に、携帯情報装置に実行させるために予め登録された所定の処理を携帯情報装置に実行させるコマンドを、装置側通信手段により携帯情報装置に送信するコマンド送信手段と、を備えており、携帯情報装置は、画像処理装置と通信可能な携帯側通信手段と、複数の画像処理装置のいずれかが所定の距離の範囲内に存在する場合に携帯情報装置に対応するコマンドを携帯側通信手段により受信し、受信したコマンドに対応する所定の処理を実行するコマンド実行手段と、を備える。
【手続補正３】
【補正対象書類名】明細書
【補正対象項目名】００１０
【補正方法】変更
【補正の内容】
【００１０】
この局面に従えば、制御装置は、携帯情報装置と通信可能となった後に予め登録された所定の処理を携帯情報装置に実行させるコマンドを携帯情報装置に送信する。このため、携帯情報装置は、複数の画像処理装置のいずれかと通信可能な状態になることに応じて、コマンドを受信する場合、受信されたコマンドを実行する。このため、携帯情報装置に実行させる処理を定めるコマンドを画像処理装置に登録すれば、次に、携帯情報装置を画像処理装置と所定の距離の範囲内に近づけると、登録されたコマンドが携帯情報装置で実行される。その結果、ユーザーによる操作に関係なく、携帯情報装置に処理を実行させることが可能な装置制御システムを提供することができる。
【手続補正４】
【補正対象書類名】明細書
【補正対象項目名】００１１
【補正方法】変更
【補正の内容】
【００１１】
好ましくは、コマンドは携帯情報装置ごとに予め登録される。
好ましくは、携帯情報装置に対応するコマンドは当該携帯情報装置を識別するための装置識別情報とともに登録される。
【手続補正５】
【補正対象書類名】明細書
【補正対象項目名】００１２
【補正方法】変更
【補正の内容】
【００１２】
好ましくは、複数の画像処理装置各々は、携帯情報装置と通信可能な状態になることに応じて、携帯情報装置を識別するための装置識別情報を受信する識別情報取得手段を、さらに備え、コマンド送信手段は、識別情報取得手段により受信された装置識別情報と同じ装置識別情報に対して登録されたコマンドを携帯情報装置に送信する。
【手続補正６】
【補正対象書類名】明細書
【補正対象項目名】００１３
【補正方法】変更
【補正の内容】
【００１３】
好ましくは、装置側通信手段と携帯側通信手段は互いに近距離無線通信可能な無線通信手段を含む。
【手続補正７】
【補正対象書類名】明細書
【補正対象項目名】００１４
【補正方法】変更
【補正の内容】
【００１４】
好ましくは、ネットワークに接続されたサーバーをさらに備え、サーバーは、携帯情報装置に対してコマンドを記憶する記憶手段を備え、コマンド送信手段は、携帯情報装置を示す装置識別情報と同じ装置識別情報に対応するコマンドをサーバーから取得し、携帯情報装置に送信する。
【手続補正８】
【補正対象書類名】明細書
【補正対象項目名】００１５
【補正方法】変更
【補正の内容】
【００１５】
好ましくは、コマンドは携帯情報装置に対応して登録された認証情報とともに登録されている。
【手続補正９】
【補正対象書類名】明細書
【補正対象項目名】００１６
【補正方法】変更
【補正の内容】
【００１６】
好ましくは、コマンド送信手段は、コマンドに対応して登録された認証情報を、さらに携帯情報装置に送信し、携帯情報装置のコマンド実行手段は、受信された認証情報が携帯情報装置に予め登録された認証情報と一致することを条件に、受信されたコマンドを実行する。
【手続補正１０】
【補正対象書類名】明細書
【補正対象項目名】００１７
【補正方法】変更
【補正の内容】
【００１７】
好ましくは、所定の処理はユーザーから受け付けた操作に応じて特定され、コマンドとして登録可能である。
【手続補正１１】
【補正対象書類名】明細書
【補正対象項目名】００１８
【補正方法】変更
【補正の内容】
【００１８】
好ましくは、複数の画像処理装置各々は、携帯情報装置を識別するための装置識別情報と、所定の処理を携帯情報装置に実行させるコマンドと、を含む制御情報を生成する制御情報生成手段を、さらに備える。
【手続補正１２】
【補正対象書類名】明細書
【補正対象項目名】００１９
【補正方法】変更
【補正の内容】
【００１９】
好ましくは、制御情報はさらに携帯情報装置に対応して登録された認証情報を含む。
好ましくは、所定の処理は、携帯情報装置に実行させる処理として予め登録された複数の処理のうちから１以上が処理識別情報として指定されるとともに、選択された１以上の処理を実行するための設定値が受け付けられることにより登録され、コマンドは、処理識別情報と、処理識別情報で特定される処理に対する設定値と、を含む。
【手続補正１３】
【補正対象書類名】明細書
【補正対象項目名】００２０
【補正方法】変更
【補正の内容】
【００２０】
好ましくは、所定の処理は、携帯情報装置に記憶されたデータのうちから設定値により特定される条件を満たすデータを抽出する検索処理をさらに含む。
好ましくは、所定の処理は、検索処理によって抽出されたデータを、画像処理装置に記憶させるように転送する転送処理をさらに含む。
【手続補正１４】
【補正対象書類名】明細書
【補正対象項目名】００２１
【補正方法】変更
【補正の内容】
【００２１】
好ましくは、所定の処理は、検索処理によって抽出されたデータに基づき、当該データに対応するプリントジョブを生成し、画像処理装置に送信するプリント処理を、さらに含む。
好ましくは、所定の処理は、データを設定値により特定される送信先に転送する転送処理を含む。
好ましくは、転送処理は、携帯情報装置が備えるカメラで撮影された画像データを、設定値で特定された送信先に送信する処理である。
【手続補正１５】
【補正対象書類名】明細書
【補正対象項目名】００２２
【補正方法】変更
【補正の内容】
【００２２】
好ましくは、所定の処理は、画像処理装置に記憶されたデータのうちから設定値により特定される条件を満たすデータを携帯情報装置にダウンロードするダウンロード処理を含む。
好ましくは、所定の処理は、携帯情報装置に記憶されたデータを消去する消去処理を含む。
好ましくは、所定の処理は、携帯情報装置においてユーザーによる操作の受付を禁止する状態に設定するロック設定処理を含む。
【手続補正１６】
【補正対象書類名】明細書
【補正対象項目名】００２３
【補正方法】変更
【補正の内容】
【００２３】
この発明の他の局面によれば、画像処理装置は、携帯情報装置と通信可能な画像処理装置であって、携帯情報装置と通信可能な装置側通信手段と、携帯情報装置が所定の距離の範囲内に存在する場合に、前記携帯情報装置に実行させるために予め登録された所定の処理を携帯情報装置に実行させるコマンドを、装置側通信手段により携帯情報装置に送信するコマンド送信手段と、を備える。
【手続補正１７】
【補正対象書類名】明細書
【補正対象項目名】００２４
【補正方法】変更
【補正の内容】
【００２４】
この局面に従えば、ユーザーによる操作に関係なく、携帯情報装置に処理を実行させることが可能な画像処理装置を提供することができる。
好ましくは、コマンドは携帯情報装置ごとに予め登録される。
好ましくは、携帯情報装置に対応するコマンドは当該携帯情報装置を識別するための装置識別情報とともに登録されている。
好ましくは、携帯情報装置と通信可能な状態になることに応じて、携帯情報装置を識別するための装置識別情報を受信する識別情報取得手段を、さらに備え、コマンド送信手段は、識別情報取得手段により受信された装置識別情報と同じ装置識別情報に対して登録されたコマンドを携帯情報装置に送信する。
好ましくは、コマンド送信手段は、携帯情報装置を示す装置識別情報と同じ装置識別情報に対応するコマンドをネットワークに接続されたサーバーから取得し、携帯情報装置に送信する。
【手続補正１８】
【補正対象書類名】明細書
【補正対象項目名】００２５
【補正方法】変更
【補正の内容】
【００２５】
この発明の他の局面によれば、装置制御方法は、携帯情報装置と通信可能な画像処理装置で実行される装置制御方法であって、所定の距離の範囲内に携帯情報装置が存在するか否か判断する判断ステップと、携帯情報装置が所定の距離の範囲内に存在する場合に、携帯情報装置に実行させるために予め登録された所定の処理を携帯情報装置に実行させるコマンドを、携帯情報装置に送信するコマンド送信ステップと、を画像処理装置に実行させる。
【手続補正１９】
【補正対象書類名】明細書
【補正対象項目名】００２７
【補正方法】変更
【補正の内容】
【００２７】
この発明の他の局面によれば、装置制御プログラムは、携帯情報装置と通信可能な画像処理装置を制御するコンピューターで実行される装置制御プログラムであって、所定の距離の範囲内に携帯情報装置が存在するか否か判断する判断ステップと、携帯情報装置が所定の距離の範囲内に存在する場合に、携帯情報装置に実行させるために予め登録された所定の処理を携帯情報装置に実行させるコマンドを、携帯情報装置に送信するコマンド送信ステップと、をコンピューターに実行させる。